(57)【要約】【課題】  酸素富化空気を加湿する際に、体力の衰えた患者や高齢の使用者を想定して、加湿器の蓋と水容器の脱着が簡単な構造でありながら、呼吸用気体供給装置の所定位置に確実かつ簡単に取りつけることができ、これによって、常に正常な状態で加湿器を作動させることができる呼吸用気体供給装置のための加湿器を提供する。【解決手段】  少なくとも蓋手段2aと水30を収容する受器手段2bとを具備して呼吸用気体に対して適度な加湿を行なうための着脱自在の加湿器本体2を備えた呼吸用気体供給装置において、  一方の加湿器本体2側に凹形状又は凸形状を有する被嵌合部28と、他方の呼吸用気体供給装置側に前記被嵌合部28に対応して嵌合する凸形状又は凹形状を有する嵌合部15とを前記加湿器本体2の取付け部1に設け、前記蓋手段2aと受器手段2bとが正常に装着されて前記加湿器本体2がとる形状を基準に設定し、設定した基準形状で前記呼吸用気体供給装置の正常位置に取付けた場合においてのみ前記被嵌合部28と嵌合部15とが正常に嵌合するようにしたことを特徴とする呼吸用気体供給装置のための加湿器2である。【選択図】図３
2005185415.tif 000002
【特許請求の範囲】
【請求項１】
少なくとも蓋手段と水を収容する受器手段とを具備して呼吸用気体に対して適度な加湿を行なうための着脱自在の加湿器本体を備えた呼吸用気体供給装置において、
一方の加湿器本体側に凹形状又は凸形状を有する被嵌合部と、他方の呼吸用気体供給装置側に前記被嵌合部に対応して嵌合する凸形状又は凹形状を有する嵌合部とを前記加湿器本体の取付け部に設け、前記蓋手段と受器手段とが正常に装着されて前記加湿器本体がとる形状を基準に設定し、設定した基準形状で前記呼吸用気体供給装置の正常位置に取付けた場合においてのみ前記被嵌合部と嵌合部とが正常に嵌合するようにしたことを特徴とする呼吸用気体供給装置のための加湿器。
【請求項２】
前記受器手段の底部に凹形状を有する溝又は凸形状を有するキー状の突起を被嵌合部として設け、前記呼吸用気体供給装置側の加湿器本体の取付け部に凸形状を有するキー状の突起又は凹形状を有する溝を嵌合部として設けたことを特徴とする、請求項１記載の呼吸用気体供給装置のための加湿器。
【請求項３】
前記嵌合部と被嵌合部とが正常に嵌合した場合に、正常な嵌合であることを検知する嵌合検知手段を設けたことを特徴とする、請求項１又は２記載の呼吸用気体供給装置のための加湿器。
【発明の詳細な説明】
【技術分野】
【０００１】
本発明は、酸素ガスなどからなる呼吸用気体を使用者に供給する呼吸用気体供給装置において、呼吸用気体に適度な加湿を与える呼吸用気体供給装置のための加湿器に関する。
【背景技術】
【０００２】
従来、呼吸器疾患患者に対して酸素ボンベから酸素を提供する酸素療法が行われており、最近では空気中の酸素を濃縮して得られた酸素富化空気（以下、この「酸素富化空気」を「濃縮酸素ガス」と称することもある）を使用した酸素療法が開発され、このような呼吸用気体供給装置を用いた治療法が次第に普及するようになってきている。
【０００３】
通常、これらの酸素療法では、酸素や酸素富化空気等の気体を患者の鼻腔に供給することは言うまでも無いが、その際、患者の鼻腔の乾燥を防止するために通常は飽和水蒸気圧近くまで加湿した状態で酸素富化空気を供給するように工夫がなされている。
【０００４】
例えば、空気中から酸素富化空気を得るために、空気中の窒素ガスを選択的に吸着して除去する吸着型酸素濃縮装置が呼吸用気体供給装置として使用されているが、このような吸着型酸素濃縮装置によって通常得られる酸素富化空気は、窒素ガスだけではなく、水蒸気ガスも吸着除去されてしまう。このため、吸着型酸素濃縮装置から得られる酸素富化空気には水分がほとんど含まれず乾燥状態にある。このような理由から、患者の鼻腔の乾燥を防止するために、加湿器を用いて加湿した酸素富化空気を患者に供給する必要が生じる。なお、酸素ボンベ内に充填して呼吸用気体供給装置として使用する場合においても、通常は濃縮酸素ガスは絶乾状態にある。
【０００５】
このような目的で使用される加湿器としては、特開平７−１６５４０２号公報に開示されているように、乾燥した酸素富化空気を水中へ導いて気泡化して水分を付与することによって、乾燥状態にある酸素富化空気を加湿しようとする気泡式加湿器がある。しかしながら、このような気泡式加湿器（バブル型加湿器ともいう）では、気泡と共に水滴飛沫が発生し、これが酸素富化空気に同伴するという問題がある。
【０００６】
また、このような気泡式加湿器によって加湿された酸素富化空気に関しては、例えば加湿器内の充填水が汚れたり、菌が増殖したりしている場合には、飛沫同伴した水滴中にもこれらの問題が持ち込まれることとなって問題である。特に、酸素療法が必要な呼吸器疾患などを患って、体力が消耗している患者さんに対して、このような酸素富化空気を供給することは、患者さんの健康を害したりするおそれがあって、衛生上からも好ましくない。そこで、このような問題が発生しない加湿器が必要とされるのであるが、このような加湿器としては、特開平６−２３８００２号公報に提案されているような水分蒸発式加湿器がある。この方式の加湿器では、蒸発させた飽和水蒸気を常に加湿容器内に存在させ、この水蒸気を乾燥した酸素富化空気に付与して加湿しようとするものも実用化されている。
【０００７】
ところで、特に前記の患者が使用する医療用の呼吸用気体供給装置は、昼夜を問わず長期にわたって連続して使用するものであり、例えば１日１回以上の頻度で毎日加湿器を取外して、再び取付けることの繰り返しが必要で、体力の衰えた患者や高齢の使用者にとって大きな負担になっている。
【０００８】
つまり、どのような方式の加湿器を使用するにしても、ワンタッチ式カプラーなどの手段を使用して高齢者や体力の弱った使用者であっても、加湿器を簡単に呼吸用気体供給装置の本体に着脱自在にできるような構造が採用されている。例えば、実開平６−３９００８号公報には、加湿器側にガイドを設ける一方で、呼吸用気体供給装置の本体にこのガイドに係合するガイド溝を設けることによって、加湿器を装置本体のガイド溝に沿わせて所定位置に宙づりで取付けることが提案されており、更に加湿器を取付けた位置が正しいかどうかを確認するための手段を設けることも提案されている。
【０００９】
しかしながら、前述のように加湿器の水は、これを取り替えたり、補充したりすることが頻繁に行なわれることが要求される状況下にあり、このために、当然のことながら、加湿器の蓋を開けて水を収容する容器に水を注ぐ必要がある。ところが、この点に関しては、前述の実開平６−３９００８号公報に提案されているような従来の加湿器では、ほとんど考慮されていないのが現状である。すなわち、加湿器の蓋と容器本体との開閉については、体力の衰えた患者や高齢の使用者を想定して、可能な限り使用勝手の良い構造が要求されることとなる一方で、加湿器の蓋と水を収容する水容器との間の着脱を簡単にしようとするほど、他方では逆に、蓋と水容器との装着が不完全になり易いという問題が生じるのである。
【００１０】
そうすると、呼吸用気体供給装置の使用中であるにもかかわらず、加湿器の蓋と水容器との間の気密が充分に行なわれないため、呼吸用気体が加湿器から漏れたり、逆に外部空気が加湿器内に混入したりするという事態が生じ、最悪の場合には、これらの部品が外れたりするという事態を惹起する。もちろん、このような事態は好ましいことではないことは言うまでもない。
【００１１】
【特許文献１】特開平７−１６５４０２号公報
【特許文献２】特開平６−２３８００２号公報
【特許文献３】特開平１０−２９０８３６号公報
【特許文献４】実開平６−３９００８号公報
【発明の開示】
【発明が解決しようとする課題】
【００１２】
本発明は、以上に述べたような問題点を解決することを目的としたものであって、乾燥した酸素富化空気を加湿する際に、体力の衰えた患者や高齢の使用者を想定して、加湿器の蓋と水容器の脱着が簡単な構造でありながら、呼吸用気体供給装置の所定位置に確実かつ簡単に取りつけることができ、これによって、常に正常な状態で加湿器を作動させることができる呼吸用気体供給装置のための加湿器を提供することにある。
【課題を解決するための手段】
【００１３】
ここに、前記課題を解決するための請求項１に記載の発明として「  少なくとも蓋手段と水を収容する受器手段とを具備して呼吸用気体に対して適度な加湿を行なうための着脱自在の加湿器本体を備えた呼吸用気体供給装置において、
一方の加湿器本体側に凹形状又は凸形状を有する被嵌合部と、他方の呼吸用気体供給装置側に前記被嵌合部に対応して嵌合する凸形状又は凹形状を有する嵌合部とを前記加湿器本体の取付け部に設け、前記蓋手段と受器手段とが正常に装着されて前記加湿器本体がとる形状を基準に設定し、設定した基準形状で前記呼吸用気体供給装置の正常位置に取付けた場合においてのみ前記被嵌合部と嵌合部とが正常に嵌合するようにしたことを特徴とする呼吸用気体供給装置のための加湿器」が提供される。
【００１４】
また、請求項２に記載の発明として、「前記受器手段の底部に凹形状を有する溝又は凸形状を有するキー状の突起を被嵌合部として設け、前記呼吸用気体供給装置側の加湿器本体の取付け部に凸形状を有するキー状の突起又は凹形状を有する溝を嵌合部として設けたことを特徴とする、請求項１記載の呼吸用気体供給装置のための加湿器」が提供される。
【００１５】
そして、請求項３に記載の発明として、「前記嵌合部と被嵌合部とが正常に嵌合した場合に、正常な嵌合であることを検知する嵌合検知手段を設けたことを特徴とする、請求項１又は２記載の呼吸用気体供給装置のための加湿器」が提供される。
【発明の効果】
【００１６】
以上に述べたように本発明の呼吸用気体供給装置のための加湿器によれば、体力の衰えた患者や高齢の使用者であっても、加湿器本体の蓋手段と受器手段の脱着と、加湿器本体の呼吸用気体供給装置への取付けがが極めて容易な構造を採用しながら、濃縮酸素ガスを加湿する際に、加湿器本体の蓋手段と受器手段との間の装着不良に起因する問題がなくなる。しかも、呼吸用気体供給装置の加湿器取付け部に加湿器本体が正常に取付けられたことを容易に検出することができる。したがって、背景技術欄で述べたような加湿器本体の取扱に起因する従来の問題を解消することができる。
【発明を実施するための最良の形態】
【００１７】
以下、本発明の呼吸用気体供給装置のための加湿器の実施形態について、図面を参照しながら詳細に説明する。
【００１８】
図１は、本発明の加湿器本体を呼吸用気体供給装置に取付ける様子を説明するために、呼吸用気体供給装置の加湿器取付け部１を抜き出して模式的に例示した部分説明図であって、図１（ａ）は模式正面図、図１（ｂ）は模式平面図（上面図）をそれぞれ示す。また、図中の矢印は呼吸用気体の流動方向を示す。この図１において、１１は呼吸用気体の供給ノズル、１２は呼吸用気体の排出ノズル、１３はシール部材の取付け溝、１４は基台部、１５は基台部に設けられた凸形状又は凹形状を有する嵌合部、そして、１６は嵌合検知手段をそれぞれ示す。なお、本例では、前記嵌合部１５は凸形状を有するキー状の突起で構成されており、嵌合検知手段１６はマイクロスイッチで構成されている。このとき、呼吸用気体の供給ノズル１１と排出ノズル１２は、上方に向かって突き出した状態に設けられている。このため、次にその詳細を説明する加湿器本体を上方から下方へ単純に差し込むだけの簡単な操作で呼吸用気体供給装置へ簡単に取付けることができ、しかも、前記シール部材取付け溝１３に取付けたシール部材の作用によって、呼吸用気体が外部に漏れ出たり、逆に外部空気が流入したりすることがないように気密にシールすることができる。
【００１９】
次に、この加湿器取付け部１に取付ける前記加湿器本体について説明するが、この加湿器本体は、図２に模式的に例示したような構成を有している。なお、この図２において、２は加湿器本体であって、この加湿器本体２の基本的構成としては蓋手段２ａと受器手段２ｂとを備えている。
【００２０】
ここで、前者の蓋手段２ａは、図２に例示したように、前記供給ノズル１１と排出ノズル１２をそれぞれ単に差し込むだけで加湿器本体２を装着することができるようにする目的で、この供給ノズル１１と排出ノズル１２とにそれぞれ対応してソケット２１と２２とが設けられている。また、これらソケット２１と２２に対応して、呼吸用気体を導入する導入流路部２３と加湿後の呼吸用気体を排出する排出流路部２４とが設けられている。したがって、呼吸用気体供給装置の加湿器取付け部１の上部カバー（図示せず）を開いて、前記供給ノズル１１と排出ノズル１２とに加湿器本体２を単に差し込むだけで、加湿器本体２を呼吸用気体供給装置の取付け部１へ簡単な操作で容易に取付けることができ、しかも、この操作によって同時に前記シール部材の作用によって自動的にシールされる構造となっている。このとき、更に重要なことは、この蓋手段２ａには、受器手段２ｂを取付けるためのガイド溝２５が設けられていることであって、このガイド溝２５の作用については後述する。
【００２１】
他方、後者の受器手段２ｂは基本構成としてガイドピン２６と容器本体２７とを備え、ガイドピン２６は前記ガイド溝２５に係合するように一対でそれぞれ対応させて設けられている。このガイド溝２５とガイドピン２６は、前記蓋手段２ａに受器手段２ｂを確実かつ安定に保持させるために、三箇所に等配して三対分（ただし、図２では一対分だけが示されており、他の二対分については示されていない）が設けられており、更に、前記受器手段２ｂの容器本体２７の底部には凹形状又は凸形状を有する被嵌合部２８が設けられている。なお、本例では被嵌合部２８は凹形状を有する３つの溝から形成されている。したがって、受器手段２ｂに取付けられた３本のガイドピン２６を蓋手段２ａの３つのガイド溝２５にそれぞれ係合させて、受器手段２ｂを捻るだけの簡単な操作で蓋手段２ａへ受器手段２ｂを装着することができる。また、蓋手段２ａと受器手段２ｂとを分離する場合は、前述の装着するときと逆方向へ受器手段２ｂを捻ることによって簡単に切り離すことができる。
【００２２】
ところが、このように加湿器本体２の蓋手段２ａと受器手段２ｂとを簡単脱着できる構造を採用すると、呼吸用気体供給装置を使用中にこれらが外れたり、蓋手段２ａと受器手段２ｂとの結合が不十分になったりし易いという問題が生じる。
【００２３】
そこで、本発明は、加湿器本体２の蓋手段２ａと受器手段２ｂとを簡単に脱着できる構造を採用しながらも、このような問題が生じないようにすることを一大特徴とする。以下、この点について図３を参照しながら詳細に説明する。
【００２４】
ここで、図３は、呼吸用気体供給装置の加湿器取付け部１に加湿器本体２を装着した状態を説明するために、模式的に例示した説明図であって、この図３の状態が正常な装着状態を示している。なお、この図３において、図３（ａ）は、本発明の加湿器を取付けた場合の実施態様を簡略化して模式的に例示した正面図、そして、図（ｂ）は加湿器本体２の内部構造がよく分るように、加湿器本体部のみを破断した正断面図をそれぞれ示す。また、図中の矢印は呼吸用気体の流動方向を示す。
【００２５】
前記図３に示したように、本発明では、加湿器本体２の蓋手段２ａへの受器手段２ｂの装着に際して、蓋手段２ａに設けられたガイド溝２５に受器手段２ｂに設けたガイドピン２６を係合させた状態で、受器手段２ｂを捻ると、ガイドピン２６がガイド溝２５に沿って図示した位置まで移動するだけで良いのである。そうすると、容器本体２７の上端が蓋手段２ａに設けられたリップパッキンやＯリングなどからなるシール材２９と適当な押し圧で当接しながら蓋手段２ａに押し当てられた状態で装着されるのである。したがって、蓋手段２ａと受器手段２ｂとはこのシール材２９によって気密状態でシールされることとなる。逆に、受器手段２ｂを構成する容器本体２７へ水３０を補充するような場合には、上記の操作と逆の操作を行なうことで蓋手段２ａと受器手段２ｂを分離して、分離した容器本体２７へ水３０を補充すれば良い。
【００２６】
なお、以上に述べたように構成される本発明の加湿器本体２は、図３に例示したように、呼吸用気体供給装置の加湿器取付け部１に正常に取付けられる。このように、本発明は、先ず、一方の加湿器本体２側に被嵌合部２８と、他方の呼吸用気体供給装置側に前記被嵌合部２８に対応して嵌合する凹形状又は凸形状を有する嵌合部１５とを設ける。なお、その際、前記蓋手段２ａと受器手段２ｂとが正常に装着された時に初めて前記加湿器本体２が基準形状とるように設定する。そうすると、設定した基準形状で前記呼吸用気体供給装置の加湿器取付け部１に対して加湿器本体部２を正常位置に取付けた場合にのみ、前記被嵌合部２８と嵌合部１５とが正常に嵌合するようにできる。
【００２７】
このため、図示省略した酸素ボンベあるいは酸素濃縮手段から供給される濃縮酸素ガスなどの呼吸用気体は、図中に示した矢印方向から、供給ノズル１１を介して加湿器本体２の蓋手段２ａへ供給されて、導入流路部２３から容器本体２７へ導入され、ここで加湿される。次いで、このようにして加湿された呼吸用気体は、排出流路部２４から排出ノズル１２へと排出され、最終的にカニューラなどの呼吸具（図示せず）を介して使用者へと供給される。
【００２８】
ところで、このような本発明の加湿器本体２は、着脱がきわめて容易な構造を採用しているという利点を有する反面で、逆に、蓋手段２ａと受器手段２ｂとの間の装着が不十分となったり、ひどい場合には外れたりするという問題が生じることは既に述べたとおりである。
【００２９】
そこで、本発明では、このような問題を回避するために、受器手段２ｂを構成する容器本体２７の底部に、加湿器取付け部１に設けられた嵌合部１５が嵌合する３つの被嵌合部２８をそれぞれ１２０度づつ回転させた状態で回転対称に刻設する。なお、ここで、３つの回転対称の被嵌合部２８を刻設する理由は、受器手段２ｂに設けた３つのガイドピン２６が蓋手段２ａのガイド溝２５と係合する際に、どのガイドピン２６に対してもガイド溝２５が係合するように方向性をなくすことにある。そして、このようにすることによって、特定のガイドピン２６と特定のガイド溝２５とを所定の位置で位置決めしながら係合させるというような面倒な操作をなくすのでである。
【００３０】
次に、前記図３に示したように、加湿器本体２が加湿器取付け部１に正常に取付けられていると、嵌合部１５が何れかの被嵌合部２８に完全に嵌合して、容器本体２７の底部が嵌合検知手段であるマイクロスイッチ１６と接触する。そうすると、マイクロスイッチ１６が作動して、加湿器本体２の蓋手段２ａと受器手段２ｂとが正常に装着され、かつ加湿器本体２が呼吸用気体供給装置に正常に取付けられたことを検出する。しかしながら、容器本体２７の底部がマイクロスイッチ１６と接触しない場合には、加湿器本体２が正常に装着されていないことが検知され、警告メッセージを表示したり、警告灯を点灯させたり、あるいは警報音を鳴らせたりして正常に装着されていないことを使用者に知らせる。なお、このような加湿器本体２が正しく装着されて正常に作動していることを検知することは、本発明が一大特徴とするところであって、この点に関して図４を参照しながらに詳細に説明する。
【００３１】
なお、前記図４において、図４（ａ）は加湿器本体２の蓋手段２ａと受器手段２ｂとが正常に装着されたケース、そして、図４（ｂ）は加湿器本体２の蓋手段２ａと受器手段２ｂとが正常に装着されていないケースをそれぞれ説明するための説明図である。なお、図４（ａ）と図４（ｂ）に例示した各ケース図において、各上図は、蓋手段２ａに設けられたガイド溝２５とガイドピン２６との間の係合関係を模式的に示した説明図（部分正面図）である。また、各中図は、ハッチング表示した嵌合部１５とこの嵌合部１５に嵌合する被嵌合部２８との間の嵌合関係を模式的に示した容器本体２７の上面から容器本体２７を見た説明図（平面図）であって、矢印は受器手段２ｂを蓋手段２ａに装着する際の回転方向を示す。また、各下図は、各中図のＸ−Ｘ方向の矢視断面図をそれぞれ示す。
【００３２】
この図４（ａ）の上図のケースのようにガイドピン２６がガイド溝２５に対して正常な位置にまで完全に移動している場合には、その中図及び下図から明らかなように嵌合部１５と被嵌合部２８とは完全に嵌合することができる。このために、容器本体２７の底部は基台１４に設けられたマイクロスイッチ１６と接触する位置まで沈み込むことができ、これによって、正常装着と判断される。これに対して、図４（ｂ）の上図のケースのようにガイドピン２６がガイド溝２５に対して不正常な位置で止まっている場合には、嵌合部１５と被嵌合部２８とは嵌合することができないために、容器本体２７の底部が嵌合部１５に乗り上げてしまう状態となって、嵌合検知手段であるマイクロスイッチ１６と接触することができず、不正常装着と判断される。
【００３３】
なお、前述の実施例においては、加湿器本体２が正常に装着されていないことを容器本体２７の底部がマイクロスイッチ１６と接触したことで検知する方法を採用したが、本発明の主旨を満足する限りこのような方法に限定されるものではない。
【００３４】
例えば、呼吸用気体供給装置の加湿器取付け部１の上方に、図３に二点鎖線（想像線）で示した位置に上部カバーを設け、加湿器本体２が加湿器取付け部１に完全に収まらない場合には、この上部カバーが締まらないような方式を採用することもできる。そして、先に述べた容器本体２７の底部と嵌合検知手段であるマイクロスイッチ１６との関係と同様に、この上部カバーが完全に閉じることができる位置にマイクロスイッチを設けて、上部カバーが完全に閉まった場合に、加湿器本体２が正常に装着されていることを検出するのである。つまり、加湿器本体２の蓋手段２ａと受器手段２ｂとが正常に装着されている場合には、加湿器本体２の高さは、基準形状である常に一定の値Ｈとなるのに対して、容器本体２７の底部が嵌合部１５に乗り上げてしまった場合には、加湿器本体２が上部にはみ出してしまって、上部カバーを正常に取付けることができないという現象を利用していることは言うまでもない。
【００３５】
なお、蓋手段２ａと受器手段２ｂとの間の取付けに関して、これらをシールする手段についてもここで簡単に付言しておくと、このようなシール手段としては、図３（ｂ）に示したような弾性を有するゴムや樹脂等のシール材２９を用いることが好ましい。しかしながら、このシール手段については、本発明の主旨を満足する限り、本発明のようなガイド溝２５とガイドピン２６とを用いたシール方式に限定されるものではなく、公知のシール方式、例えば、蓋手段２ａに受器手段２ｂを所定位置までねじ込むことによりシール材を押しつぶして密閉する方式や、周知のワンタッチ式に接続する方式などを採用することができる。何故ならば、前者のねじ込み方式を採用する場合では、ねじ込み量が不足すると加湿器本体２の高さＨが長くなってしまい、図３の例と同様の原理によって不正常装着を検出することができ、また、後者のワンタッチ式においても同様のことが言えるからである。
【００３６】
なお、本発明の呼吸用気体供給装置のための加湿器は、公知の酸素濃縮装置に対して独立させた状態で別置き型とすることもできるが、特開平５−１６４２００号公報、あるいは特開２００１−１２９０９１号公報などに提案されているような方法と同様に、酸素濃縮装置本体に内蔵することが好ましい。何故ならば、本発明の加湿器は、コンパクトに設計できるため、内蔵型として適しているからである。なお、このような加湿器を内蔵する呼吸用気体供給装置としては、特開平６−２３８００２号公報に記載のような公知の圧力変動吸着型の酸素濃縮装置を好適に使用でき、この装置の詳細に関しては図示省略した。何故ならば、本発明に好適に使用できる前記圧力変動吸着型酸素濃縮装置としては、前掲の特開平６−２３８００２号公報などに詳細に記載されているからであって、このような理由からその詳細説明はここでは省略する。
【産業上の利用可能性】
【００３７】
以上に述べたような構造の加湿器を備えた呼吸用気体供給装置を採用することによって、体力が衰えたり高齢であったりする呼吸器疾患患者などに対しても取扱性に優れる上に、使用者の取扱不良に起因する問題も解消することができる。また、これによって、濃縮酸素ガスのような呼吸用気体を吸飲しなければならないような使用者に対して、きわめて高い信頼性が要求される医用の呼吸用気体供給装置として広く提供することができる。
【図面の簡単な説明】
【００３８】
【図１】本発明の加湿器本体を呼吸用気体供給装置に取付ける様子を説明するために、呼吸用気体供給装置の加湿器取付け部を抜き出して模式的に例示した部分説明図であって、図（ａ）は模式正面図、図（ｂ）は模式平面図（上面図）をそれぞれ示す。
【図２】本発明の加湿器本体の一実施形態を模式的に例示した斜視図である。
【図３】呼吸用気体供給装置の加湿器取付け部に加湿器本体を装着した状態を説明するために、模式的に例示した説明図である。
【図４】図４（ａ）は加湿器本体の蓋手段と受器手段とが正常に装着されたケース、そして、図４（ｂ）は正常に装着されていないケースの各説明図である。
【符号の説明】
【００３９】
１    加湿器取付け部
２    加湿器本体
２ａ  蓋手段
２ｂ  受器手段
１１  呼吸用気体の供給ノズル
１２  呼吸用気体の排出ノズル
１３  シール部材の取付け溝
１４  基台部
１５  基台部に設けられた嵌合部
１６  マイクロスイッチ
２１、２２  ソケット
２３  導入流路部
２４  排出流路部
２５  ガイド溝
２６  ガイドピン
２７  容器本体
２８  被嵌合部
２９  シール材
３０  水
Ｈ    加湿器本体の高さ
【図１】
2005185415.tif 000003
【図２】
2005185415.tif 000004
【図３】
2005185415.tif 000005
【図４】
2005185415.tif 000006